【事件の表示】
　特願２０１４−１７７６６８「カード装着構造および電子機器」拒絶査定不服審判事件〔平成２８年　４月１１日出願公開、特開２０１６−　５１４１６、請求項の数（６）〕について、次のとおり審決する。
【結　論】
　原査定を取り消す。
　本願の発明は、特許すべきものとする。
【理　由】
第１　手続の経緯
　本件審判請求に係る出願（以下，「本願」という。）は，平成２６年９月２日の出願であって，その手続の経緯は以下のとおりである。
　　平成３０年　３月１９日付け　：拒絶理由の通知
　　平成３０年　４月　４日　　　：意見書，手続補正書の提出
　　平成３０年　８月２７日付け　：拒絶査定（原査定）
　　平成３０年　９月　６日　　　：審判請求書，手続補正書の提出
　　令和元　年　８月３０日付け　：拒絶理由の通知（当審）
　　令和元　年１０月１８日　　　：手続補正書の提出
第２　本願発明
　本願請求項１−６に係る発明（以下，それぞれ「本願発明１」−「本願発明６」という。）は，令和元年１０月１８日付けの手続補正で補正された特許請求の範囲の請求項１−６に記載された事項により特定される以下のとおりの発明である。
「　【請求項１】
　メモリカードを挿脱可能に収納する第１収納部と，
　前記第１収納部にスライド可能に設けられ，着脱操作時に前記メモリカードを覆った状態で，前記メモリカードと共にスライドするカード着脱補助部材と，
を備え，
　前記カード着脱補助部材は，前記メモリカードを前記第１収納部から引き出す補助本体部と，前記メモリカードが前記補助本体部と共に前記第１収納部から引き出された際に，前記引き出された側に位置する前記メモリカードの一部を露出させるようにヒンジ部を中心に回転して開く開閉部と，を有し，
　前記第１収納部は，所定の開閉蓋で開口部が覆われるとともに所定の深さを有した第２収納部の側面から前記メモリカードを挿脱可能に設けられており，
　前記開閉部は，前記第１収納部に対して前記カード着脱補助部材をスライドさせるための引出操作部として孔部が設けられているとともに，前記開口部側に開くように設けられており，
　前記孔部は，少なくとも，前記カード着脱補助部材が前記メモリカードと共に前記第１収納部に収納されている状態のときであって前記開口部が前記開閉蓋から開放されている状態のときに，前記開口部側から視認可能な位置に設けられている，
ことを特徴とするカード装着構造。
　　【請求項２】
　請求項１に記載のカード装着構造において，
　前記補助本体部は，前記第１収納部内に収納された前記メモリカードの奥端部中央に当接する引出部を有し，
　前記開閉部は，前記メモリカードを前記第１収納部内に押し込む押込み部を有している，
ことを特徴とするカード装着構造。
　　【請求項３】
　請求項１または請求項２に記載のカード装着構造において，
　前記カード着脱補助部材は，前記補助本体部に対して前記開閉部を開閉方向に回転可能に連結するヒンジ部を形成するためのＶ字形状の溝が，前記メモリカードに対向する側の面に形成されている，
ことを特徴とするカード装着構造。
　　【請求項４】
　請求項１〜請求項３のいずれかに記載のカード装着構造において，
　前記カード着脱補助部材は，弾力性を有する樹脂材料で形成されている，
ことを特徴とするカード装着構造。
　　【請求項５】
　請求項１〜請求項４のいずれかに記載のカード装着構造において，
　前記カード着脱補助部材のスライド範囲を規制するスライド規制部が，前記メモリカードの上方に位置するように設けられている，
ことを特徴とするカード装着構造。
　　【請求項６】
　請求項１〜請求項５のいずれかに記載されたカード装着構造を備えている，
ことを特徴とする電子機器。」
第３　引用文献，引用発明等
１　引用文献１について
　原査定の拒絶の理由に引用された引用文献１（特開２００６−２０９９９２号公報）には，図面とともに次の事項が記載されている。
（当審注：下線は，参考のために当審で付与したものである。以下，同様。）
Ａ　「【００１４】
以下，本発明の実施例１を図面に基づき説明する。
図４は，携帯電話機１０の裏蓋を外し，電池収納部１１から電池を取り出した状態を示している。この電池収納部１１には，本発明によるＩＣカード用コネクタが設けられ，このＩＣカード用コネクタのコネクタハウジング１４には，ＩＣカード１２がスライダ１３とともに挿入／抜去することができるようになっている。
前記ＩＣカード１２は，長さ×幅×厚さ＝２５ｍｍ×１５ｍｍ×０．５ｍｍ程度で，図２に示すように，下面に８個の電極３１を有し，かつ，前端の一方部を斜めに切り欠いた切り欠き面３２を有するもので，例えば，ヨーロッパ規格品のＳＩＭカードが使用され，内部に記憶されているプログラムソフト，データ等は，当該国固有である。」
Ｂ　「【００１７】
　
前記スライダ１３は，トレー部３３と，このトレー部３３の両側から後方に伸びたアーム３４が一体に設けられ，前記ＩＣカード１２を重ねたとき，その電極３１が下面に露出する空間が形成されている。前記各アーム３４の先端部には，カードストッパ３５が上向きに突出して設けられている。また，これら両側のアーム３４の下面には，図１（ａ）（ｂ）に示すように，先端部にストッパ４３が形成され，中間部にテーパーを有するクリック凹凸部４４が形成されている。
　
前記トレー部３３の両側には鍔部３８が設けられ，かつ，一方の鍔部３８には，外側に突出したストッパ５０が形成されている。また，前記トレー部３３の前端部には，開閉蓋３６がヒンジ部３９の軸４０部分によって中折れ可能に連結されている。この開閉蓋３６には，前記ＩＣカード１２の形状に合せた収納凹部３７となリ，かつ，収納後にＩＣカード１２が抜け出ないように鍔部４１が形成され，また，開閉蓋３６の角部であって，前記ＩＣカード１２のもつ切り欠き面３２に対応した位置に引き出し取っ手部４２が一体に設けられている。
Ｃ　「【００１９】
このようにして組み立てられたＩＣカード用コネクタへのＩＣカード１２の挿入／抜去について説明する。
ＩＣカード用コネクタのカード挿入口４９からスライダ１３を抜き出すと，スライダ１３のストッパ４３が板ばね１９に係止して，スライダ１３はそれ以上抜き出せない。スライダ１３は，抜き出すと，開閉蓋３６が自重によりヒンジ部３９の部分で折れ曲がり，収納凹部３７部分が開口する。この状態でＩＣカード１２をスライダ１３の収納凹部３７に差し込むと，図１（ｂ）の鎖線のように，ＩＣカード１２の先端部分がカードストッパ３５に当接する。このまま，ＩＣカード１２を押し込むと，ＩＣカード１２とスライダ１３は一体となってＩＣカード用コネクタに挿入され，さらに押し込むと，開閉蓋３６が携帯電話機１０の開口部に接触しながら挿入されて軸４０を支点として持ち上げられ，開閉蓋３６の収納凹部３７にＩＣカード１２が収納される。さらにやや強く押し込むと，クリック凹凸部４４が板ばね１９を押し下げてクリック感を生じさせ，図１（ｃ）に示すように，クリック凹凸部４４のテーパー部分に板ばね１９の頂部が係止して携帯電話機１０を斜めにしたり，手にとって動かしたりしても，スライダ１３が抜け出るのが防止される。
　このとき，ＩＣカード１２の電極３１がコネクタハウジング１４の所定のコンタクト２０に接触する。
【００２０】
　
ＩＣカード１２を取り出すときには，開閉蓋３６の引き出し取っ手部４２に指の爪等を引っ掛けてスライダ１３をやや強く引き出す
スライダ１３をＩＣカード１２とともに引き出した後，引き出し取っ手部４２から指等を離すと，開閉蓋３６は，軸４０を支点として自重で下方へ折れ曲がり，ＩＣカード１２の端部が露出するので，このＩＣカード１２の先端部を指で摘まんで抜き出す。
Ｄ　「【００２１】
　前記実施例１では，スライダ１３の開閉蓋３６がトレー部３３にヒンジ部３９をもって連結し，軸４０を支点にして回動して中折れできるようにした。
　しかし，これに限られるものではなく，前記コネクタハウジング１４におけるトレー部３３と開閉蓋３６の連結部分に，上向き又は下向きのＶ溝を形成して屈曲用の肉薄部とし，この肉薄部で中折れ可能にすることができる。」
Ｅ　「【図１】
」
Ｆ　「【図４】
」
２　引用発明
　上記Ａ−Ｆの記載からすると，上記引用文献１には次の発明（以下，「引用発明」という。）が記載されていると認められる。
「携帯電話機１０のＩＣカード用コネクタであって，
　前記携帯電話機１０の裏蓋を外すと電池が取り出せる電池収納部１１に設けられ，前記ＩＣカード用コネクタのコネクタハウジング１４には，ＩＣカード１２がスライダ１３とともに挿入／抜去することができるようになっており，
　前記スライダ１３は，トレー部３３と，前記トレー部３３の両側から後方に伸びたアーム３４が一体に設けられ，前記ＩＣカード１２を重ねたとき，その電極３１が下面に露出する空間が形成され，前記各アーム３４の先端部には，カードストッパ３５が上向きに突出して設けられ，また，両側の前記アーム３４の下面には，先端部にストッパ４３が形成され，中間部にテーパーを有するクリック凹凸部４４が形成されており，
　前記トレー部３３の両側には鍔部３８が設けられ，かつ，一方の前記鍔部３８には，外側に突出したストッパ５０が形成され，前記トレー部３３の前端部には，開閉蓋３６がヒンジ部３９の軸４０部分によって中折れ可能に連結され，前記開閉蓋３６には，前記ＩＣカード１２の形状に合せた収納凹部３７となリ，かつ，収納後にＩＣカード１２が抜け出ないように鍔部４１が形成され，また，前記開閉蓋３６の角部であって，前記ＩＣカード１２のもつ切り欠き面３２に対応した位置に引き出し取っ手部４２が一体に設けられており，
　前記ＩＣカード用コネクタへの前記ＩＣカード１２の挿入／抜去については，前記ＩＣカード用コネクタのカード挿入口４９から前記スライダ１３を抜き出すと，前記スライダ１３の前記ストッパ４３が前記板ばね１９に係止して，前記スライダ１３はそれ以上抜き出せないようになり，前記スライダ１３は，抜き出すと，前記開閉蓋３６が自重により前記ヒンジ部３９の部分で折れ曲がり，前記収納凹部３７部分が開口し，この状態で前記ＩＣカード１２を前記スライダ１３の前記収納凹部３７に差し込むと，前記ＩＣカード１２の先端部分が前記カードストッパ３５に当接し，このまま，前記ＩＣカード１２を押し込むと，前記ＩＣカード１２と前記スライダ１３は一体となって前記ＩＣカード用コネクタに挿入され，さらに押し込むと，前記開閉蓋３６が前記携帯電話機１０の開口部に接触しながら挿入されて前記軸４０を支点として持ち上げられ，前記開閉蓋３６の前記収納凹部３７に前記ＩＣカード１２が収納され，さらにやや強く押し込むと，前記クリック凹凸部４４が前記板ばね１９を押し下げてクリック感を生じさせ，前記クリック凹凸部４４のテーパー部分に前記板ばね１９の頂部が係止して前記携帯電話機１０を斜めにしたり，手にとって動かしたりしても，前記スライダ１３が抜け出るのが防止され，
　前記ＩＣカード１２を取り出すときには，前記開閉蓋３６の前記引き出し取っ手部４２に指の爪等を引っ掛けて前記スライダ１３をやや強く引き出し，前記スライダ１３を前記ＩＣカード１２とともに引き出した後，前記引き出し取っ手部４２から指等を離すと，前記開閉蓋３６は，前記軸４０を支点として自重で下方へ折れ曲がり，前記ＩＣカード１２の端部が露出するので，この前記ＩＣカード１２の先端部を指で摘まんで抜き出す，
ことを特徴とするＩＣカード用コネクタ。」
第４　対比・判断
１　本願発明１について
（１）対比
　本願発明１と引用発明とを対比すると，次のことがいえる。
ア　引用発明の「ＩＣカード用コネクタ」は，「携帯電話機１０の裏蓋を外すと電池が取り出せる電池収納部１１に設けられ」，「ＩＣカード１２がスライダ１３とともに挿入／抜去することができるようになって」いることから，本願発明１の「カード装着構造」に対応するといえる。
イ　引用発明の「ＩＣカード用コネクタのコネクタハウジング１４」には，「ＩＣカード１２」が「スライダ１３とともに挿入／抜去することができるようになって」いることから，引用発明の「コネクタハウジング１４」，「ＩＣカード１２」は，それぞれ本願発明１の「第１収納部」，「メモリカード」に相当するといえる。
　そうすると，引用発明の「ＩＣカード用コネクタ」と本願発明１の「カード装着構造」とは，
“メモリカードを挿脱可能に収納する第１収納部”を備える点で一致するといえる。
ウ　引用発明では，「コネクタハウジング１４」に「ＩＣカード１２がスライダ１３とともに挿入／抜去することができるようになって」いることから，引用発明の「スライダ１３」は本願発明１の「カード着脱補助部材」に対応するといえる。
　そして，引用発明の「スライダ１３」は，「トレー部３３」と「開閉蓋３６」を有し，「トレー部３３」は，「トレー部３３の両側から後方に伸びたアーム３４が一体に設けられ，前記ＩＣカード１２を重ねたとき，その電極３１が下面に露出する空間が形成され，前記各アーム３４の先端部には，カードストッパ３５が上向きに突出して設けられ」，「前記トレー部３３の前端部には，開閉蓋３６がヒンジ部３９の軸４０部分によって中折れ可能に連結され，前記開閉蓋３６には，前記ＩＣカード１２の形状に合せた収納凹部３７とな」ることから，引用発明の「トレー部３３」，「開閉蓋３６」，「ヒンジ部３９」は，それぞれ本願発明１の「補助本体部」，「開閉部」，「ヒンジ部」に相当するといえる。
　また，引用発明の「開閉蓋３６」は，「前記ＩＣカード１２を取り出すときには」，「スライダ１３を前記ＩＣカード１２とともに引き出した後，前記引き出し取っ手部４２から指等を離すと，前記開閉蓋３６は，前記軸４０を支点として自重で下方へ折れ曲がり，前記ＩＣカード１２の端部が露出する」ことから，引用発明の「開閉蓋３６」はヒンジ部を中心とした回転の向きが本願発明１の「開閉部」と相違するが，“第１収納部から引き出された際に，ヒンジ部を中心に回転して開く”点で共通するといえる。
　そうすると，引用発明の「ＩＣカード用コネクタ」と本願発明１の「カード装着構造」とは，後記の点で相違するものの，
“前記第１収納部にスライド可能に設けられ，着脱操作時に前記メモリカードと共にスライドするカード着脱補助部材”を備え，“前記カード着脱補助部材は，前記メモリカードを前記第１収納部から引き出す補助本体部と，前記メモリカードが前記補助本体部と共に前記第１収納部から引き出された際に，ヒンジ部を中心に回転して開く開閉部と，を有”する点で一致するといえる。
エ　引用発明の「ＩＣカード用コネクタ」は，「携帯電話機１０の裏蓋を外すと電池が取り出せる電池収納部１１に設けられ」，「ＩＣカード用コネクタへの前記ＩＣカード１２の挿入／抜去については，前記ＩＣカード用コネクタのカード挿入口４９から前記スライダ１３を抜き出す」ことから，引用発明の「電池収納部１１」，「裏蓋」は，それぞれ本願発明１の「第２収納部」，「開閉蓋」に相当するといえる。
　また，上記Ｆの図４の記載からすると，引用発明の「電池収納部１１」は“所定の開閉蓋で開口部が覆われるとともに所定の深さを有”すること，「電池収納部１１」の“側面からメモリカードを挿脱可能に設けられて”いることは明らかである。
　そうすると，引用発明と本願発明１とは，
“第１収納部は，所定の開閉蓋で開口部が覆われるとともに所定の深さを有した第２収納部の側面から前記メモリカードを挿脱可能に設けられて”いる点で一致するといえる。
オ　引用発明の「開閉蓋３６」は，「前記開閉蓋３６の角部であって，前記ＩＣカード１２のもつ切り欠き面３２に対応した位置に引き出し取っ手部４２が一体に設けられて」おり，「前記ＩＣカード１２を取り出すときには，前記開閉蓋３６の前記引き出し取っ手部４２に指の爪等を引っ掛けて前記スライダ１３をやや強く引き出」すことから，引用発明の「引き出し取っ手部４２」は本願発明１の「引出操作部」に相当するといえ，引用発明の「引き出し取っ手部４２」は「ＩＣカード用コネクタ」に対して「スライダ１３」を“スライドさせるため”に「開閉蓋３６」に設けられているといえる。
　そうすると，引用発明と本願発明１とは，後記の点で相違するものの，
“開閉部は，前記第１収納部に対して前記カード着脱補助部材をスライドさせるための引出操作部が設けられて”いる点で一致するといえる。
カ　引用発明の「引き出し取っ手部４２」に関して，「前記ＩＣカード１２を取り出すときには，前記開閉蓋３６の前記引き出し取っ手部４２に指の爪等を引っ掛けて前記スライダ１３をやや強く引き出」すこと，および，上記Ｅの図１（ｃ）の記載からすると，「スライダ１３」が「ＩＣカード用コネクタ」に挿入されているときに「裏蓋」を外すと，引用発明の「引き出し取っ手部４２」は“開口部側から視認可能な位置に設けられている”ことは明らかである。
　そうすると，引用発明と本願発明１とは，後記の点で相違するものの，
“引出操作部は，少なくとも，前記カード着脱補助部材が前記メモリカードと共に前記第１収納部に収納されている状態のときであって前記開口部が前記開閉蓋から開放されている状態のときに，前記開口部側から視認可能な位置に設けられている”点で一致するといえる。
　したがって，本願発明１と引用発明との間には，次の一致点，相違点があるといえる。
（一致点）
「　メモリカードを挿脱可能に収納する第１収納部と，
　前記第１収納部にスライド可能に設けられ，着脱操作時に前記メモリカードと共にスライドするカード着脱補助部材と，
を備え，
　前記カード着脱補助部材は，前記メモリカードを前記第１収納部から引き出す補助本体部と，前記メモリカードが前記補助本体部と共に前記第１収納部から引き出された際に，ヒンジ部を中心に回転して開く開閉部と，を有し，
　前記第１収納部は，所定の開閉蓋で開口部が覆われるとともに所定の深さを有した第２収納部の側面から前記メモリカードを挿脱可能に設けられており，
　前記開閉部は，前記第１収納部に対して前記カード着脱補助部材をスライドさせるための引出操作部が設けられており，
　前記引出操作部は，少なくとも，前記カード着脱補助部材が前記メモリカードと共に前記第１収納部に収納されている状態のときであって前記開口部が前記開閉蓋から開放されている状態のときに，前記開口部側から視認可能な位置に設けられている，
ことを特徴とするカード装着構造。」
（相違点）
（相違点１）
　カード着脱補助部材に関し，本願発明１では，「カード着脱補助部材」が着脱操作時にメモリカードを覆った状態で，前記メモリカードと共にスライドするものであって，第１収納部から引き出された際に，前記引き出された側に位置する前記メモリカードの一部を露出させるようにヒンジ部を中心に回転して開く開閉部を有するのに対して，
　引用発明では，「スライダ１３」が「ＩＣカード用コネクタ」から引き出された際に，ヒンジ部を中心に回転して開く「開閉蓋３６」を有するものの，「開閉蓋３６」が第１収納部から引き出された際に，メモリカードを覆った状態で引き出され，「開閉蓋３６」が前記引き出された側に位置するメモリカードの一部を露出させるように回転することは特定されていない点。
（相違点２）
　開閉部に関し，本願発明１の「開閉部」は，第１収納部に対してカード着脱補助部材をスライドさせるための引出操作部として「孔部」が設けられているとともに，開口部側に開くように設けられているのに対して，
　引用発明では，「開閉蓋３６」に第１収納部に対してカード着脱補助部材をスライドさせるための引出操作部としての「引き出し取っ手部４２」が設けられているものの，「孔部」が設けられるとともに，開口部側に開くように設けられることについては特定されていない点。
（相違点３）
　引出操作部に関し，本願発明１の引出操作部として「孔部」が開口部側から視認可能な位置に設けられているのに対して，
　引用発明では，「引き出し取っ手部４２」が開口部側から視認可能な位置に設けられているものの，引出操作部として「孔部」が開口部側から視認可能な位置に設けられることについては特定されていない点。
（２）相違点についての判断
ア　相違点１について
　上記相違点１について検討すると，引用発明の「開閉蓋３６」は，「さらに押し込むと，前記開閉蓋３６が前記携帯電話機１０の開口部に接触しながら挿入されて前記軸４０を支点として持ち上げられ，前記開閉蓋３６の前記収納凹部３７に前記ＩＣカード１２が収納され」，「スライダ１３を前記ＩＣカード１２とともに引き出した後，前記引き出し取っ手部４２から指等を離すと，前記開閉蓋３６は，前記軸４０を支点として自重で下方へ折れ曲がり，前記ＩＣカード１２の端部が露出する」ところ，「開閉蓋３６」が第１収納部から引き出された際に，「軸４０」を支点として自重で下方へ折れ曲がり，メモリカードの端部が露出するものであり，これに代えて，「開閉蓋３６」が第１収納部から引き出された際に，メモリカードを覆った状態で引き出され，「開閉蓋３６」が前記引き出された側に位置するメモリカードの一部が露出するように操作者が回転させるものに変更することへの動機付けがあるとはいえない。
　加えて，カード着脱補助部材が第１収納部から引き出された際に，前記引き出された側に位置する前記メモリカードの一部を露出させるようにヒンジ部を中心に回転して開く開閉部を有する旨の技術が，本願出願前に当該技術分野において周知技術であったとはいえず，当業者が適宜に選択し得た設計的事項であるとすることもできない。
　そうすると，引用発明において，カード着脱補助部材が着脱操作時にメモリカードを覆った状態で，前記メモリカードと共にスライドするものであって，第１収納部から引き出された際に，前記引き出された側に位置する前記メモリカードの一部を露出させるようにヒンジ部を中心に回転して開く開閉部を具備させること，すなわち，本願発明１の上記相違点１に係る構成とすることは，当業者が適宜なし得たものであるとすることはできない。
イ　相違点２，３について
　事案に鑑み上記相違点２，３についてあわせて検討すると，引用発明は，「開閉蓋３６」に第１収納部に対してカード着脱補助部材をスライドさせるための引出操作部としての「引き出し取っ手部４２」が設けられるところ，「開閉蓋３６」の「引き出し取っ手部４２」に「孔部」が設けられることは特定されておらず，また，引用文献１にそのような「孔部」が，開口部側から視認可能な位置に，開口部側に開くように設けられることについては記載も示唆もされていない。
　そうすると，引用発明において，開閉部に，第１収納部に対してカード着脱補助部材をスライドさせるための引出操作部として孔部を設けるとともに，開口部側に開くように設け，さらに，カード着脱補助部材がメモリカードと共に前記第１収納部に収納されている状態のときであって開口部が開閉蓋から開放されている状態のときに，開口部側から視認可能な位置に設けること，すなわち，本願発明１の上記相違点２，３に係る構成とすることは，当業者が適宜なし得たものであるとすることはできない。
ウ　まとめ
　したがって，本願発明１は，当業者であっても，引用文献１に記載された発明に基づいて容易に発明できたものとはいえない。
２　本願発明２−５について
　本願発明２−５は，本願発明１を減縮した発明であり，本願発明１の
“「第１収納部にスライド可能に設けられ，着脱操作時に前記メモリカードを覆った状態で，前記メモリカードと共にスライドするカード着脱補助部材」を備え，「前記カード着脱補助部材は，前記メモリカードを前記第１収納部から引き出す補助本体部と，前記メモリカードが前記補助本体部と共に前記第１収納部から引き出された際に，前記引き出された側に位置する前記メモリカードの一部を露出させるようにヒンジ部を中心に回転して開く開閉部」を有する”（以下，「相違点１に係る構成」という。）
と同一の構成を備え，
　また，“前記開閉部は，前記第１収納部に対して前記カード着脱補助部材をスライドさせるための引出操作部として孔部が設けられているとともに，前記開口部側に開くように設けられており，
　前記孔部は，少なくとも，前記カード着脱補助部材が前記メモリカードと共に前記第１収納部に収納されている状態のときであって前記開口部が前記開閉蓋から開放されている状態のときに，前記開口部側から視認可能な位置に設けられている，”（以下，「相違点２，３に係る構成」という。）
と同一の構成を備えるものであるから，本願発明１と同じ理由により，当業者であっても，引用文献１に記載された発明に基づいて容易に発明できたものとはいえない。
３　本願発明６について
　本願発明６は，本願発明１−５の「カード装着構造」のいずれかを備えた「電子機器」の発明であり，本願発明１の「相違点１に係る構成」および「相違点２，３に係る構成」と同一の構成を備えるものであるから，本願発明１と同じ理由により，当業者であっても，引用文献１に記載された発明に基づいて容易に発明できたものとはいえない。
第５　原査定の概要および原査定についての判断
　原査定は，請求項１−８について上記引用文献１に記載された発明に基づいて，当業者が容易に発明できたものであるから，特許法第２９条第２項の規定により特許を受けることができない，というものである。
　しかしながら，令和元年１０月１８日付け手続補正により補正された請求項１−６は，それぞれ「相違点１に係る構成」および「相違点２，３に係る構成」と同一の構成を有するものとなっており，
　上記のとおり，本願発明１−６は，引用文献１に記載された発明に基づいて，当業者が容易に発明できたものではない。
　したがって，原査定を維持することはできない。
第６　当審拒絶理由について
＜特許法第３６条第６項第２号について＞
１　当審では，請求項１の「カード着脱補助部材」について，「前記第１収納部にスライド可能に設けられ，前記メモリカードと共にスライドするカード着脱補助部材」が特定する事項が不明確であるとの拒絶の理由を通知しているが，令和元年１０月１８日付けの手続補正により，「前記第１収納部にスライド可能に設けられ，着脱操作時に前記メモリカードを覆った状態で，前記メモリカードと共にスライドするカード着脱補助部材」のように補正された結果，この拒絶の理由は解消した。
　また，請求項１を引用する請求項２−６についても同様に，補正によりこの拒絶の理由は解消した。
２　当審では，請求項１の「開閉部」について，「前記メモリカードが前記補助本体部と共に前記カード収納部から引き出された際に，前記引き出された側に位置する前記メモリカードの一部を露出させる方向に回動可能に開く開閉部」が特定する事項が不明確であるとの拒絶の理由を通知しているが，令和元年１０月１８日付けの手続補正により，「前記メモリカードが前記補助本体部と共に前記第１収納部から引き出された際に，前記引き出された側に位置する前記メモリカードの一部を露出させるようにヒンジ部を中心に回転して開く開閉部」のように補正された結果，この拒絶の理由は解消した。
　また，請求項１を引用する請求項２−６についても同様に，補正によりこの拒絶の理由は解消した。
３　当審では，請求項１の「前記メモリカードが前記補助本体部と共に前記カード収納部から引き出された際に，」が特定されるところ，ここでの「カード収納部」は前記されておらず，「前記カード収納部」は「前記第１収納部」の誤記であるとの拒絶の理由を通知しているが，令和元年１０月１８日付けの手続補正により，請求項１が「前記メモリカードが前記補助本体部と共に前記第１収納部から引き出された際に，」のように補正された結果，この拒絶の理由は解消した。
　また，請求項１を引用する請求項２−６についても同様に，補正によりこの拒絶の理由は解消した。
４　当審では，請求項２の「前記開閉部は，前記メモリカードを前記カード収納部内に押し込む押込み部を有している，」が特定されるところ，ここでの「カード収納部」は前記されておらず，「前記カード収納部」は「前記第１収納部」の誤記であるとの拒絶の理由を通知しているが，令和元年１０月１８日付けの手続補正により，請求項２が「前記開閉部は，前記メモリカードを前記第１収納部内に押し込む押込み部を有している，」のように補正された結果，この拒絶の理由は解消した。
　また，請求項２を引用する請求項３−６についても同様に，補正によりこの拒絶の理由は解消した。
第７　むすび
　以上のとおり，本願発明１−６は，当業者が引用文献１に記載された発明に基づいて容易に発明をすることができたものではない。
　したがって，原査定の理由によっては，本願を拒絶することはできない。
　また，他に本願を拒絶すべき理由を発見しない。
　よって，結論のとおり審決する。